(57)【特許請求の範囲】
【請求項１】
階段の踏み板上に支柱を起立状態で固定し、この支柱の一面側にレールを固定し、上記支柱の途中とこの支柱を固定した踏み板よりも上段の踏み板をブラケットで結合した階段へのレール取り付け構造において、
上記支柱は、下端の固定ベースが平面的にレールを挟む両側の位置が階段の踏み板上に締結具で固定され、上記ブラケットは、踏み板に対して、平面的にレールを挟む両側の位置が締結具で固定されていることを特徴とする階段へのレール取り付け構造。
【請求項２】
階段の踏み板上に支柱を起立状態で固定し、この支柱の一面側にレールを固定し、上記支柱の途中とこの支柱を固定した踏み板の前面に起立する蹴上部をブラケットで結合した階段へのレール取り付け構造において、
上記支柱は、下端の固定ベースが平面的にレールを挟む両側の位置が階段の踏み板上に締結具で固定され、上記ブラケットは、蹴上部に対して、平面的にレールを挟む両側の位置が締結具で固定されていることを特徴とする階段へのレール取り付け構造。
【発明の詳細な説明】
【０００１】
【発明の属する技術分野】
この発明は、階段の傾斜に沿ってレールを配置し、このレールに沿っていすが昇降するいす式階段昇降機のような、レール取り付け部分に片寄った荷重がかかる条件に対して、強度的に優れた状態でレールを支持することができる階段へのレール取り付け構造に関する。
【０００２】
【従来の技術】
いす式階段昇降機は、自力で階段の昇降が困難な人が、いすに座ったままで階段を昇降することができるようにするための装置であり、高齢化社会において益々重要になってきている。
【０００３】
図７は、いす式階段昇降機を既設の木製階段に対して設置する構造を示し、階段Ａの踏み板１上に所定の間隔で支柱２を立設し、この支柱２の一面側にレール３を階段Ａの傾斜に沿うような配置で固定し、上記レール３にいす４が昇降するよう取り付けられている。
【０００４】
このような、支柱２を用いたレール３の取り付け構造は、階段室における壁材Ｂの強度が十分でないことから、主流となっている。
【０００５】
ところで、上記のようないす式階段昇降機は、レール３に対して壁材Ｂと反対側にいす４が昇降動するよう取り付けられるため、このレール３を支持する支柱２には、レール３といす４及び使用者の重量が片持ちの転倒モーメントとして作用する。このため、支柱２に引き抜き力が作用する側の踏み板１に対する固定には十分な強度が要求される。
【０００６】
従来、階段Ａの踏み板Ａ上に木ねじを用いて支柱２を固定する場合、支柱２の下端に設けた固定ベース５を踏み板１上に重ね、木ねじを固定ベース５から踏み板１にねじ込んで固定するが、このとき、固定ベース５の引き抜き力が作用する壁材Ｂ側の固定には四本の木ねじを使用し、耐引き抜き力を得るようにしている。
【０００７】
【発明が解決しようとする課題】
しかしながら、一般に既設の木製階段Ａにおける踏み板１の幅は、１５０〜２５０ｍｍ程度であり、ここに四本の木ねじを幅方向に沿う配置でねじ込んで支柱２を固定することは、木ねじの配置間隔が狭くなり、踏み板１の割れや施工上の問題が起こることになる。
【０００８】
そこで、この発明の課題は、木製階段に対する支柱の固定を、踏み板だけでなく上段の踏み板又は蹴上部に分散し、踏み板に対する木ねじのねじ込み数を減らしながら、全体としては引き抜き力が作用する壁側の固定に四本の木ねじを確保することができ、これによって、踏み板の割れや施工上の問題がない階段へのレール取り付け構造を提供することにある。
【０００９】
【課題を解決するための手段】
上記のような課題を解決するため、請求項１の発明は、階段の踏み板上に支柱を起立状態で固定し、この支柱の一面側にレールを固定し、上記支柱の途中とこの支柱を固定した踏み板よりも上段の踏み板をブラケットで結合した階段へのレール取り付け構造において、上記支柱は、下端の固定ベースが平面的にレールを挟む両側の位置が階段の踏み板上に締結具で固定され、上記ブラケットは、踏み板に対して、平面的にレールを挟む両側の位置が締結具で固定されている構成を採用したものである。
【００１０】
また、請求項２の発明は、階段の踏み板上に支柱を起立状態で固定し、この支柱の一面側にレールを固定し、上記支柱の途中とこの支柱を固定した踏み板の前面に起立する蹴上部をブラケットで結合した階段へのレール取り付け構造において、上記支柱は、下端の固定ベースが平面的にレールを挟む両側の位置が階段の踏み板上に締結具で固定され、上記ブラケットは、蹴上部に対して、平面的にレールを挟む両側の位置が締結具で固定されている構成を採用したものである。
【００１２】
【発明の実施の形態】
以下、この発明の実施の形態を図示例と共に説明する。
【００１３】
図１乃至図４に示す第１の実施の形態において、階段Ａの踏み板１上に所定の間隔で支柱１１を立設し、この支柱１１の一面側にレール１２を階段Ａの傾斜に沿うような配置で固定し、上記レール１２にいすが昇降するよう取り付けられている。
【００１４】
上記支柱１１は、上下に長い角形の鋼管を用い、階段Ａの壁板Ｂと反対側の面の上部にレール取り付け板１３が固定され、支柱１１の下端に矩形の固定ベース１４が設けられている。
【００１５】
この固定ベース１４に対して支柱１１は、図３のように、階段Ａの壁板Ｂ側へ片寄った位置に起立固定され、レール取り付け板１３に固定したレール１２は、平面的に見て、固定ベース１４の中間上に位置する配置となり、固定ベース１４の壁板Ｂ側に、いすとレール１２及び使用者の重量が片持ちの転倒モーメントとして引き抜き力が作用することになる。
【００１６】
固定ベース１４の四隅には、階段Ａの踏み板１上に支柱１１を固定する木ねじ１５の挿通孔１６が設けられている。従って、固定ベース１４に対する木ねじ１５の挿通孔１６は、平面的にレール１２を挟んで階段Ａの壁板Ｂ側に二個と壁板Ｂと反対側に二個が配置され、各挿通孔１６に挿入した木ねじ１５を踏み板１にねじ込むことにより、踏み板１上に支柱１１を起立状に固定することができる。
【００１７】
上記支柱１１の中間部に先端をボルト止めしたブラケット１７が、支柱１１を固定した踏み板１よりも一段上の踏み板１ａに固定されている。このブラケット１７の踏み板１ａへの固定部分は、平面的に見てレール１２を境として両側に張り出し、階段Ａの壁板Ｂ側に二個と壁板Ｂと反対側に二個の木ねじ１５の挿通孔１８が設けられ、各挿通孔１８に挿入した木ねじ１５を踏み板１ａにねじ込むことにより、踏み板１ａ上にブラケット１７が固定される。
【００１８】
このように、階段Ａへの支柱１１の固定において、引き抜き力が作用する壁板Ｂ側の固定が、固定ベース１４の壁板Ｂ側の二本の木ねじ１５と、ブラケット１７の壁板Ｂ側の二本の木ねじ１５の合計四本の木ねじ１５で固定されることになり、従来と同じ合計数を確保することで耐引き抜き力を得ることができ、かつ、踏み板１の幅方向に対する木ねじのねじ込み数は二本となり、これによって、踏み板１に割れが発生するのを防止できる。
【００１９】
図５と図６に示す第２の実施の形態は、支柱１１自体の構造と階段Ａの踏み板１上に対する支柱１１の固定構造は上述した第１の実施の形態と同じであるが、支柱１１の中間部に先端をボルト止めしたブラケット２１が、支柱１１を固定した踏み板１の前面に起立する蹴上部１ｂに木ねじ１５で固定されている。
【００２０】
このブラケット２１の蹴上部１ｂに対する固定は、ブラケット２１の端部に直角の配置で固定した取り付け板２２を蹴上部１ｂに重ね、その両端部を木ねじ１５のねじ込みで蹴上部１ｂに固定しており、この第２の実施の形態においても、支柱１１の固定のための踏み板１の幅方向に対する木ねじ１５のねじ込み数は二本となり、支柱１１の中間に先端を固定したブラケット２１を蹴上部１ｂに固定することにより、支柱１１に対して片持ちの転倒モーメントに対する耐引き抜き力の補強を図ることができる。
【００２１】
この発明のレール取り付け構造は、上記のような構成であり、木製階段Ａの踏み板１上への木ねじによる支柱１１の固定が、固定ベース１４の四隅で行い、これにより、踏み板１の幅方向に対する木ねじのねじ込み数が二本になり、踏み板１に割れが発生するのを防止できると共に、支柱１１の途中を、上段の踏み板１ａにブラケット１７で、また、踏み板１の前面に起立する蹴上部１ｂにブラケット２１で固定することにより、支柱１１にかかる片持ちの転倒モーメントに対する耐引き抜き力の補強を図ることができる。
【００２２】
【発明の効果】
以上のように、この発明によると、階段の踏み板上に支柱を起立状態で固定し、この支柱の一面側にレールを固定し、上記支柱の途中と、この支柱を固定した踏み板よりも上段の踏み板または、踏み板の前面に起立する蹴上部をブラケットで固定した階段へのレール取り付け構造において、上記支柱は、下端の固定ベースが平面的にレールを挟む両側の位置が階段の踏み板上に締結具で固定され、上記ブラケットは、踏み板又は蹴上部に対して、平面的にレールを挟む両側の位置が締結具で固定されているようにしたので、ブラケットにより、支柱にかかる片持ちの転倒モーメントに対する耐引き抜き力の補強を図ることができ、これにより、踏み板上への木ねじによる支柱の固定が、踏み板の幅方向に対して木ねじのねじ込み数を二本にすることができ、木ねじのねじ込み数を削減することで踏み板に割れが発生するのを防止できる。
【図面の簡単な説明】
【図１】第１の実施の形態のレール取り付け構造を示す斜視図
【図２】同上の縦断正面図
【図３】同上の横断平面図
【図４】図２の矢印Ａ−Ａに沿う縦断側面図
【図５】第２の実施の形態のレール取り付け構造を示す縦断正面図
【図６】同上の横断平面図
【図７】いす式階段昇降機の構造を示す斜視図
【符号の説明】
Ａ    階段
１    踏み板
１ｂ  蹴上部
１１  支柱１１
１２  レール
１３  レール取り付け板
１４  固定ベース
１５  木ねじ
１６  挿通孔
１７  ブラケット
２１  ブラケット
【図１】
0004514893.tif 000002
【図２】
0004514893.tif 000003
【図３】
0004514893.tif 000004
【図４】
0004514893.tif 000005
【図５】
0004514893.tif 000006
【図６】
0004514893.tif 000007
【図７】
0004514893.tif 000008